(57)【要約】【課題】小型化および軽量化することが可能なシールドケースを提供する。【解決手段】このシールドケース３は、電気部品２ａおよび２ｂが内部に配置され、複数の側面部１１を含むシールド枠１０と、シールド枠１０の上部および下部にそれぞれ取り付けられる上部シールド蓋２０および下部シールド蓋３０とを備えている。シールド枠１０の側面部１１の上端部および下端部には、上部シールド蓋２０および下部シールド蓋３０とそれぞれ係合する凸部１１ａが形成されている。【選択図】図１
2009111115.tif 000002
【特許請求の範囲】
【請求項１】
電気部品が内部に配置され、複数の第１側面部を含むシールド枠と、
前記シールド枠に取り付けられるシールド蓋とを備え、
前記シールド枠の第１側面部の前記シールド蓋側の端部には、前記シールド蓋と係合する凸部が形成されていることを特徴とするシールドケース。
【請求項２】
前記シールド蓋は、第１面部と、前記第１面部に対して略垂直に折り曲げられた複数の第２側面部とを含み、
前記シールド蓋の複数の第２側面部には、前記第２側面部の幅よりも小さい幅を有するとともに、前記シールド枠の凸部と係合する係合部が設けられていることを特徴とする請求項１に記載のシールドケース。
【請求項３】
前記係合部は、前記第２側面部の前記シールド枠側の端部に設けられていることを特徴とする請求項２に記載のシールドケース。
【請求項４】
前記係合部は、前記第２側面部の幅方向に延びる細長形状に形成されていることを特徴とする請求項２または３に記載のシールドケース。
【請求項５】
前記シールド枠の凸部は、前記シールド枠の複数の第１側面部のそれぞれに、互いに所定の間隔を隔てて複数設けられていることを特徴とする請求項１〜４のいずれか１項に記載のシールドケース。
【請求項６】
前記シールド蓋は、第１面部と、前記第１面部に対して略垂直に折り曲げられた複数の第３側面部とを含み、
前記複数の第３側面部のうちの少なくとも１つには、前記シールド枠の凸部と係合する係合部が複数設けられているとともに、前記複数の係合部の間に切り欠き部が設けられていることを特徴とする請求項１〜５のいずれか１項に記載のシールドケース。
【請求項７】
前記シールド蓋は、第１面部と、前記第１面部に対して略直角に折り曲げられた複数の第３側面部とを含み、
前記第１面部には、前記シールド枠側に突出し、前記シールド枠と当接する突出部が形成されていることを特徴とする請求項１〜６のいずれか１項に記載のシールドケース。
【請求項８】
前記シールド蓋は、上部シールド蓋と、下部シールド蓋とを含み、
前記シールド枠の上部および下部には、それぞれ、前記上部シールド蓋および下部シールド蓋が取り付けられていることを特徴とする請求項１〜７のいずれか１項に記載のシールドケース。
【請求項９】
請求項１〜８のいずれか１項に記載のシールドケースと、
前記シールドケースのシールド枠の内部に配置される電気製品とを備えることを特徴とする高周波受信装置。
【発明の詳細な説明】
【技術分野】
【０００１】
この発明は、シールドケースおよびそれを備えた高周波受信装置に関する。
【背景技術】
【０００２】
近年、通信機器は小型化が要求されており、これらの機器に搭載する高周波受信装置も小型化が要求されている。このような高周波受信装置として、携帯電話に搭載される携帯用高周波装置が知られている（たとえば、特許文献１参照）。
【０００３】
図７は、上記特許文献１に開示された携帯用高周波装置（高周波受信装置）の構造を示した断面図である。上記特許文献１に開示された携帯用高周波装置（高周波受信装置）１０１は、図７に示すように、電子部品１１０、１１１およびプリント基板１２０が内部に配置されるフレーム（シールド枠）１３０と、フレーム１３０の上部を覆うカバー（シールド蓋）１４０とを備えている。
【０００４】
この携帯用高周波装置１０１では、フレーム１３０は、４つの側面部１３１により構成されており、カバー１４０は、上面部１４１と、上面部１４１に対して垂直に折り曲げられた４つの側面部１４２とにより構成されている。そして、フレーム１３０の４つの側面部１３１のそれぞれには、カバー１４０側の端部（上端部）から所定の距離を隔てた位置に、外側に突出するリブ１３１ａが形成されている。また、カバー１４０の４つの側面部１４２には、フレーム１３０のリブ１３１ａと係合する係合部１４２ａが形成されている。
【０００５】
また、従来、シールド枠と、シールド枠の上部に取り付けられるシールド蓋とを備えたシールドケースが知られている。図８は、従来の一例によるシールドケースの構造を示した斜視図である。図９は、図８に示した従来の一例によるシールドケースのシールド蓋をシールド枠に取り付けた状態を示した断面図である。従来の一例によるシールドケース２０１は、図８に示すように、電気部品（図示せず）が内部に配置されるシールド枠２１０と、シールド枠２１０の上部に取り付けられるシールド蓋２２０とを備えている。
【０００６】
シールド枠２１０は、下面部２１１と、下面部２１１に対して略垂直に折り曲げられた４つの側面部２１２とによって構成されている。また、４つの側面部２１２には、それぞれ、Ａ方向またはＢ方向に延びる１つの凸部２１２ａが形成されている。この凸部２１２ａは、図９に示すように、シールド枠２１０のシールド蓋２２０側の端部（上端部）から所定の距離を隔てた位置に形成されている。
【０００７】
シールド蓋２２０は、図８に示すように、上面部２２１と、上面部２２１に対して略垂直に折り曲げられた４つの側面部２２２とによって構成されている。また、図８および図９に示すように、４つの側面部２２２には、それぞれ、側面部２２２の幅方向の一方端部から他方端部まで延びるように形成され、くの字形状の断面を有する係合部２２２ａが形成されている。
【特許文献１】特開平９−２３２７８９号公報
【発明の開示】
【発明が解決しようとする課題】
【０００８】
上記特許文献１に開示された携帯用高周波装置１０１では、カバー１４０の係合部１４２ａと係合するフレーム１３０のリブ１３１ａは、側面部１３１のカバー１４０側の端部（上端部）から所定の距離を隔てた位置に形成されているので、フレーム１３０のカバー１４０側の端部（上端部）からカバー１４０と係合する部分（リブ１３１ａ）までの距離を小さくすることが困難である。すなわち、フレーム１３０の上下方向の長さを小さくすることが困難であるので、フレーム１３０および携帯用高周波装置１０１を小型化および軽量化するのが困難であるという問題点がある。
【０００９】
また、従来の一例によるシールドケース２０１では、シールド蓋２２０の係合部２２２ａと係合するシールド枠２１０の凸部２１２ａは、シールド枠２１０のシールド蓋２２０側の端部（上端部）から所定の距離を隔てた位置に形成されているので、シールド枠２１０のシールド蓋２２０側の端部（上端部）からシールド蓋２２０と係合する部分（凸部２１２ａ）までの距離を小さくすることが困難である。すなわち、従来の一例によるシールドケース２０１も、上記特許文献１の携帯用高周波装置１０１と同様、シールド枠２１０の上下方向の長さを小さくすることが困難であるという不都合がある。このため、シールドケース２０１を小型化および軽量化するのが困難であるという問題点がある。
【００１０】
この発明は、上記のような課題を解決するためになされたものであり、この発明の目的は、小型化および軽量化することが可能なシールドケースおよび高周波受信装置を提供することである。
【課題を解決するための手段】
【００１１】
上記目的を達成するために、この発明の第１の局面によるシールドケースは、電気部品が内部に配置され、複数の第１側面部を含むシールド枠と、シールド枠に取り付けられるシールド蓋とを備え、シールド枠の第１側面部のシールド蓋側の端部には、シールド蓋と係合する凸部が形成されている。
【００１２】
この第１の局面によるシールドケースでは、上記のように、シールド枠の第１側面部のシールド蓋側の端部に、シールド蓋と係合する凸部を設けることによって、シールド枠の第１側面部のシールド蓋側の端部からシールド蓋と係合する部分（凸部）までの距離を小さくすることができる。これにより、シールド枠の、例えば上下方向の長さを小さくすることができるので、シールドケースを小型化および軽量化することができる。
【００１３】
上記第１の局面によるシールドケースにおいて、好ましくは、シールド蓋は、第１面部と、第１面部に対して略垂直に折り曲げられた複数の第２側面部とを含み、シールド蓋の複数の第２側面部には、第２側面部の幅よりも小さい幅を有するとともに、シールド枠の凸部と係合する係合部が設けられている。このように構成すれば、第２側面部の係合部の例えば両側の部分を、平坦面状に形成することができる。これにより、シールド蓋を形成する場合、第２側面部となる部分に係合部を形成した後、第２側面部となる部分を第１面部に対して略垂直に折り曲げる際に、第２側面部となる部分の係合部の例えば両側に形成された平坦面状の部分を押圧して第２側面部となる部分を第１面部に対して折り曲げることができる。このため、第２側面部の係合部を、第１面部に近づけた状態で形成することができる。これにより、シールド蓋と係合する凸部を、シールド枠の第１側面部のシールド蓋側の端部に設ける場合にも、シールド蓋の係合部を、容易に、シールド枠の凸部に適合する位置に形成することができる。なお、シールド蓋の係合部を、第２側面部の幅方向の一方端部から他方端部まで延びるように形成した場合、第２側面部を第１面部に対して折り曲げる際に必要な平坦な部分を、第２側面部の係合部と第１面部との間に設ける必要がある。このため、第２側面部の係合部を第１面部に近づけた状態で形成することが困難であるので、シールド蓋と係合する凸部を、シールド枠の第１側面部のシールド蓋側の端部に設ける場合、シールド蓋の係合部をシールド枠の凸部に適合する位置に形成するのが困難である。
【００１４】
上記シールド蓋の複数の第２側面部に係合部が設けられているシールドケースにおいて、好ましくは、係合部は、第２側面部のシールド枠側の端部に設けられている。このように構成すれば、シールド蓋の第２側面部のシールド枠側の端部からシールド枠と係合する部分（係合部）までの距離を小さくすることができる。これにより、シールド蓋の、例えば上下方向の長さを小さくすることができるので、シールドケースを、より小型化および軽量化することができる。
【００１５】
上記シールド蓋の複数の第２側面部に係合部が設けられているシールドケースにおいて、好ましくは、係合部は、第２側面部の幅方向に延びる細長形状に形成されている。このように構成すれば、シールド蓋の係合部とシールド枠の凸部との係合領域を大きくすることができるので、シールド蓋をシールド枠に、より強固に取り付けることができる。
【００１６】
上記第１の局面によるシールドケースにおいて、好ましくは、シールド枠の凸部は、シールド枠の複数の第１側面部のそれぞれに、互いに所定の間隔を隔てて複数設けられている。このように構成すれば、シールド枠の凸部を第１側面部に連続した状態で延びるように形成する場合に比べて、シールド枠の凸部を、容易に、第１側面部に形成することができる。
【００１７】
上記第１の局面によるシールドケースにおいて、好ましくは、シールド蓋は、第１面部と、第１面部に対して略垂直に折り曲げられた複数の第３側面部とを含み、複数の第３側面部のうちの少なくとも１つには、シールド枠の凸部と係合する係合部が複数設けられているとともに、複数の係合部の間に切り欠き部が設けられている。このように構成すれば、シールド蓋の複数の係合部を、それぞれ、バネ性を有するように形成することができる。これにより、複数の係合部の間に切り欠き部が設けられていない場合のように、シールド枠の凸部に対して係合する力が大きくなる係合部や小さくなる係合部が生じて、シールド蓋のシールド枠に対する係合のばらつきが生じるのを抑制することができる。その結果、複数の係合部のそれぞれを、シールド枠の凸部に良好に係合させることができる。
【００１８】
上記第１の局面によるシールドケースにおいて、好ましくは、シールド蓋は、第１面部と、第１面部に対して略直角に折り曲げられた複数の第３側面部とを含み、第１面部には、シールド枠側に突出し、シールド枠と当接する突出部が形成されている。このように構成すれば、シールド枠をアースとして用いる場合に、第１面部に突出部を設けるだけで、シールド蓋もアースとして用いることができる。
【００１９】
上記第１の局面によるシールドケースにおいて、好ましくは、シールド蓋は、上部シールド蓋と、下部シールド蓋とを含み、シールド枠の上部および下部には、それぞれ、上部シールド蓋および下部シールド蓋が取り付けられている。このように構成すれば、シールド枠の、例えば上下方向の長さを、より小さくすることができるので、シールドケースを、より小型化および軽量化することができる。
【００２０】
この発明の第２の局面による高周波受信装置は、請求項１〜８のいずれか１項に記載のシールドケースと、シールドケースのシールド枠の内部に配置される電気製品とを備える。このように構成すれば、小型化および軽量化することが可能な高周波受信装置を得ることができる。
【発明の効果】
【００２１】
以上のように、本発明によれば、小型化および軽量化することが可能なシールドケースおよび高周波受信装置を容易に得ることができる。
【発明を実施するための最良の形態】
【００２２】
図１は、本発明の一実施形態によるシールドケースを備えた高周波受信装置の全体構成を示した分解斜視図である。図２〜図６は、本発明の一実施形態によるシールドケースの詳細構造を示した図である。図１〜図６を参照して、本発明の一実施形態によるシールドケース３を備えた高周波受信装置１の構造について説明する。
【００２３】
本発明の一実施形態によるシールドケース３を備えた高周波受信装置１は、地上波放送や衛星放送などを受信する機能を有する。また、高周波受信装置１は、図１に示すように、電気部品２ａおよび２ｂと、電気部品２ａおよび２ｂが内部に配置される板金製のシールドケース３とによって構成されている。
【００２４】
電気部品２ａおよび２ｂは、アンテナ（図示せず）が受信した高周波信号から所望の周波数帯の信号を取り出したり増幅する機能を有する。
【００２５】
シールドケース３は、電気部品２ａおよび２ｂが内部に配置されるシールド枠１０と、シールド枠１０の上部に取り付けられる上部シールド蓋２０と、シールド枠１０の下部に取り付けられる下部シールド蓋３０とによって構成されている。なお、上部シールド蓋２０および下部シールド蓋３０は、それぞれ、本発明の「シールド蓋」の一例である。
【００２６】
シールド枠１０は、電気部品２ａおよび２ｂが搭載された基板（図示せず）のグランドに半田などにより接続されており、アースとしての機能を有する。
【００２７】
また、シールド枠１０は、４つの側面部１１と、側面部１１の内部に配置された仕切り板１２ａおよび１２ｂとを含んでいる。なお、側面部１１は、本発明の「第１側面部」の一例である。
【００２８】
４つの側面部１１には、それぞれ、Ａ方向またはＢ方向に延びる複数の凸部１１ａが形成されている。
【００２９】
ここで、本実施形態では、図２に示すように、凸部１１ａは、シールド枠１０の外側に突出するように、側面部１１の上端部および下端部に形成されている。また、図１に示すように、凸部１１ａは、Ａ方向またはＢ方向に互いに所定の間隔を隔てて複数設けられている。
【００３０】
仕切り板１２ａは、Ａ方向に延びるように配置されている。仕切り板１２ｂは、複数からなるとともに、Ｂ方向に延びるように配置されている。また、仕切り板１２ｂの上端部１２ｃは、図３に示すように、水平方向（Ａ方向）に折り曲げられている。
【００３１】
上部シールド蓋２０は、図１に示すように、上面部２１と、上面部２１に対して略垂直に折り曲げられた４つの側面部２２とによって構成されている。なお、上面部２１は、本発明の「第１面部」の一例であり、側面部２２は、本発明の「第３側面部」の一例である。
【００３２】
上面部２１には、Ａ方向およびＢ方向の端部から所定の距離を隔てて、上側に突出した突出面部２１ａが設けられている。この突出面部２１ａには、仕切り板１２ｂの上方に配置されているとともに、仕切り板１２ｂの上端部１２ｃに接触する複数の接触部２１ｂが形成されている。
【００３３】
この複数の接触部２１ｂの周囲には、図４に示すように、それぞれ、コの字形状のスリット部２１ｃが設けられている。これにより、接触部２１ｂは、上下方向のバネ性を有する。また、複数の接触部２１ｂの所定の位置には、下方向に突出した半球面形状の突出部２１ｄが金型を用いて形成されている。この突出部２１ｄは、図３に示すように、仕切り板１２ｂの上端部１２ｃに当接するように形成されている。なお、突出部２１ｄが仕切り板１２ｂの上端部１２ｃに当接した状態では、バネ性を有する接触部２１ｂは、上方向に少しだけ撓んでいる。このように、接触部２１ｂの突出部２１ｄが仕切り板１２ｂの上端部１２ｃに接触することにより、上部シールド蓋２０もアースとして機能する。
【００３４】
４つの側面部２２は、図１に示すように、それぞれ、複数の押圧面部２２ａにより構成されており、押圧面部２２ａの間には、切り欠き部２２ｂが設けられている。なお、押圧面部２２ａは、本発明の「第２側面部」の一例である。
【００３５】
複数の押圧面部２２ａには、図５に示すように、それぞれ、上部シールド蓋２０の内側に突出した係合部２２ｃが形成されている。この係合部２２ｃは、図６に示すように、シールド枠１０の側面部１１の上端部に設けられた凸部１１ａに係合するように形成されている。
【００３６】
また、本実施形態では、係合部２２ｃは、押圧面部２２ａのシールド枠１０側の端部（下端部）に、金型を用いて形成されている。
【００３７】
また、本実施形態では、図５に示すように、係合部２２ｃは、押圧面部２２ａの幅方向（Ａ方向またはＢ方向）に延びる細長形状に形成されている。また、係合部２２ｃは、押圧面部２２ａの幅方向の中央部のみに形成されており、係合部２２ｃのＡ方向またはＢ方向の幅Ｗ１は、押圧面部２２ａのＡ方向またはＢ方向の幅Ｗ２よりも小さい。すなわち、押圧面部２２ａの係合部２２ｃの両側の部分は、平坦面状に形成されている。
【００３８】
また、切り欠き部２２ｂは、上面部２１にまで達するように形成されている。これにより、複数の押圧面部２２ａは、互いに独立した状態で、Ａ方向またはＢ方向のバネ性を有する。なお、図６に示すように、係合部２２ｃ（押圧面部２２ａ）がシールド枠１０の側面部１１の凸部１１ａに係合した状態では、バネ性を有する押圧面部２２ａは、シールド枠１０の側面部１１を内側に押圧した状態になっている。
【００３９】
上述した上部シールド蓋２０を形成する場合、側面部２２の押圧面部２２ａとなる部分に係合部２２ｃを形成する。そして、押圧面部２２ａとなる部分の係合部２２ｃの両側に形成された平坦面状の部分を押圧することにより、側面部２２の押圧面部２２ａとなる部分を上面部２１に対して略垂直に折り曲げる。
【００４０】
下部シールド蓋３０は、図１に示すように、下面部３１と、下面部３１に対して略垂直に折り曲げられた４つの側面部３２とによって構成されている。なお、下面部３１は、本発明の「第１面部」の一例であり、側面部３２は、本発明の「第３側面部」の一例である。
【００４１】
下面部３１は、上部シールド蓋２０の上面部２１と異なり、平坦面状に形成されている。
【００４２】
４つの側面部３２は、上部シールド蓋２０の４つの側面部２２と同様の構造に形成されている。すなわち、４つの側面部３２は、それぞれ、複数の押圧面部３２ａにより構成されており、押圧面部３２ａの間には、切り欠き部３２ｂが設けられている。なお、押圧面部３２ａは、本発明の「第２側面部」の一例である。
【００４３】
複数の押圧面部３２ａには、下部シールド蓋３０の内側に突出した係合部３２ｃがそれぞれ形成されている。この係合部３２ｃは、シールド枠１０の側面部１１の下端部に設けられた凸部１１ａに係合するように形成されている。
【００４４】
また、本実施形態では、係合部３２ｃは、押圧面部３２ａのシールド枠１０側の端部（上端部）に、金型を用いて形成されている。
【００４５】
また、本実施形態では、係合部３２ｃは、押圧面部３２ａの幅方向（Ａ方向またはＢ方向）に延びる細長形状に形成されている。また、係合部３２ｃは、押圧面部３２ａの幅方向の中央部のみに形成されており、係合部３２ｃのＡ方向またはＢ方向の幅は、押圧面部３２ａのＡ方向またはＢ方向の幅よりも小さい。すなわち、押圧面部３２ａの係合部３２ｃの両側の部分は、平坦面状に形成されている。
【００４６】
また、切り欠き部３２ｂは、下面部３１にまで達するように形成されている。これにより、複数の押圧面部３２ａは、互いに独立した状態で、Ａ方向またはＢ方向のバネ性を有する。なお、係合部３２ｃ（押圧面部３２ａ）がシールド枠１０の側面部１１の凸部１１ａに係合した状態では、バネ性を有する押圧面部３２ａは、シールド枠１０の側面部１１を内側に押圧した状態になっている。
【００４７】
上述した下部シールド蓋３０を形成する場合、側面部３２の押圧面部３２ａとなる部分に係合部３２ｃを形成する。そして、押圧面部３２ａとなる部分の係合部３２ｃの両側に形成された平坦面状の部分を押圧することにより、側面部３２の押圧面部３２ａとなる部分を下面部３１に対して略垂直に折り曲げる。
【００４８】
本実施形態では、上記のように、シールド枠１０の側面部１１の上端部および下端部に、上部シールド蓋２０および下部シールド蓋３０と係合する凸部１１ａを設けることによって、シールド枠１０の側面部１１の上端部から上部シールド蓋２０と係合する部分（凸部１１ａ）までの距離、および、シールド枠１０の側面部１１の下端部から下部シールド蓋３０と係合する部分（凸部１１ａ）までの距離を小さくすることができる。これにより、シールド枠１０の上下方向の長さを小さくすることができるので、シールドケース３および高周波受信装置１を小型化および軽量化することができる。
【００４９】
また、本実施形態では、上部シールド蓋２０の複数の押圧面部２２ａに、押圧面部２２ａの幅Ｗ２よりも小さい幅Ｗ１を有する係合部２２ｃを設けるとともに、下部シールド蓋３０の複数の押圧面部３２ａに、押圧面部３２ａの幅よりも小さい幅を有する係合部３２ｃを設けている。これにより、上部シールド蓋２０の側面部２２の係合部２２ｃの両側の部分、および、下部シールド蓋３０の側面部３２の係合部３２ｃの両側の部分を、平坦面状に形成することができる。このため、上部シールド蓋２０を形成する場合、押圧面部２２ａとなる部分に係合部２２ｃを形成した後、押圧面部２２ａとなる部分を上面部２１に対して略垂直に折り曲げる際に、押圧面部２２ａとなる部分の係合部２２ｃの両側に形成された平坦面状の部分を押圧して、押圧面部２２ａとなる部分を上面部２１に対して折り曲げることができる。また、同様に、下部シールド蓋３０を形成する場合、押圧面部３２ａとなる部分に係合部３２ｃを形成した後、押圧面部３２ａとなる部分を下面部３１に対して略垂直に折り曲げる際に、押圧面部３２ａとなる部分の係合部３２ｃの両側に形成された平坦面状の部分を押圧して、押圧面部３２ａとなる部分を下面部３１に対して折り曲げることができる。これにより、押圧面部２２ａの係合部２２ｃを、上面部２１に近づけた状態で形成することができるとともに、押圧面部３２ａの係合部３２ｃを、下面部３１に近づけた状態で形成することができる。その結果、上部シールド蓋２０および下部シールド蓋３０と係合する凸部１１ａを、シールド枠１０の側面部１１の上端部および下端部に設ける場合にも、上部シールド蓋２０の係合部２２ｃ、および、下部シールド蓋３０の係合部３２ｃを、容易に、シールド枠１０の凸部１１ａに適合する位置に形成することができる。
【００５０】
また、本実施形態では、係合部２２ｃを、押圧面部２２ａのシールド枠１０側の端部（下端部）に設けるとともに、係合部３２ｃを、押圧面部３２ａのシールド枠１０側の端部（上端部）に設けることによって、上部シールド蓋２０の押圧面部２２ａのシールド枠１０側の端部（下端部）からシールド枠１０と係合する部分（係合部２２ｃ）までの距離を小さくすることができるとともに、下部シールド蓋３０の押圧面部３２ａのシールド枠１０側の端部（上端部）からシールド枠１０と係合する部分（係合部３２ｃ）までの距離を小さくすることができる。これにより、上部シールド蓋２０および下部シールド蓋３０の上下方向の長さを小さくすることができるので、シールドケース３および高周波受信装置１を、より小型化および軽量化することができる。
【００５１】
また、本実施形態では、係合部２２ｃを、押圧面部２２ａの幅方向に延びる細長形状に形成するとともに、係合部３２ｃを、押圧面部３２ａの幅方向に延びる細長形状に形成することによって、係合部２２ｃおよび３２ｃとシールド枠１０の凸部１１ａとの係合領域を大きくすることができるので、上部シールド蓋２０および下部シールド蓋３０をシールド枠１０に、より強固に取り付けることができる。
【００５２】
また、本実施形態では、シールド枠１０の凸部１１ａを、シールド枠１０の複数の側面部１１のそれぞれに、互いに所定の間隔を隔てて複数設けることによって、シールド枠１０の凸部１１ａを側面部１１に連続した状態で延びるように形成する場合に比べて、シールド枠１０の凸部１１ａを、容易に、側面部１１に形成することができる。
【００５３】
また、本実施形態では、複数の押圧面部２２ａの間に切り欠き部２２ｂを設けるとともに、複数の押圧面部３２ａの間に切り欠き部３２ｂを設けることによって、上部シールド蓋２０の複数の押圧面部２２ａ、および、下部シールド蓋３０の複数の押圧面部３２ａを、それぞれ、バネ性を有するように形成することができる。これにより、側面部２２および３２にそれぞれ切り欠き部２２ｂおよび３２ｂが設けられていない場合のように、シールド枠１０の凸部１１ａに対して係合する力が大きくなる係合部２２ｃおよび３２ｃや小さくなる係合部２２ｃおよび３２ｃが生じて、上部シールド蓋２０および下部シールド蓋３０のシールド枠１０に対する係合のばらつきが生じるのを抑制することができる。その結果、複数の係合部２２ｃおよび３２ｃのそれぞれを、シールド枠１０の凸部１１ａに良好に係合させることができる。
【００５４】
また、本実施形態では、上面部２１に、シールド枠１０側（下方向）に突出し、シールド枠１０の仕切り板１２ｂの上端部１２ｃと当接する突出部２１ｄを形成することによって、シールド枠１０（仕切り板１２ｂ）をアースとして用いる場合に、上面部２１に突出部２１ｄを設けるだけで、上部シールド蓋２０もアースとして用いることができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、本発明を、地上波放送や衛星放送などを受信する高周波受信装置に適用した例について示したが、本発明はこれに限らず、地上波放送や衛星放送以外の電波などを受信する高周波受信装置に適用してもよい。
【００５７】
また、上記実施形態では、シールド枠の上部に上部シールド蓋を取り付けるとともに、シールド枠の下部に下部シールド蓋を取り付けた例について示したが、本発明はこれに限らず、シールド枠の、例えば上部のみに、本発明のシールド蓋を取り付けてもよい。この場合にも、シールドケースを小型化および軽量化することが可能である。
【００５８】
また、上記実施形態では、押圧面部の係合部を、押圧面部のシールド枠側の端部に設けた例について示したが、本発明はこれに限らず、押圧面部の係合部を、押圧面部のシールド枠側の端部から所定の距離だけ離した位置に設けてもよい。
【００５９】
また、上記実施形態では、複数の押圧面部（係合部）の間に切り欠き部を設けた例について示したが、本発明はこれに限らず、複数の係合部の間に切り欠き部を設けなくてもよい。
【００６０】
また、上記実施形態では、上部シールド蓋をシールド枠の仕切り板に接触させることにより、上部シールド蓋をアースとして用いた例について示したが、本発明はこれに限らず、上部シールド蓋を、シールド枠の側面部などに接触させたり、電気部品が搭載された図示しない基板に接触させることにより、上部シールド蓋をアースとして用いてもよい。また、上部シールド蓋をアースとして用いなくてもよい。
【００６１】
また、上記実施形態では、シールド枠の凸部を、シールド枠の複数の側面部のそれぞれに、互いに所定の間隔を隔てて複数設けた例について示したが、本発明はこれに限らず、シールド枠の凸部を、シールド枠の複数の側面部のそれぞれに、１つずつ設けてもよい。
【図面の簡単な説明】
【００６２】
【図１】本発明の一実施形態によるシールドケースを備えた高周波受信装置の全体構成を示した分解斜視図である。
【図２】図１に示した一実施形態によるシールドケースのシールド枠の構造を示した斜視図である。
【図３】図１に示した一実施形態によるシールドケースの上部シールド蓋をシールド枠に取り付けた状態を示した断面図である。
【図４】図１に示した一実施形態によるシールドケースの上部シールド蓋の接触部の構造を示した斜視図である。
【図５】図１に示した一実施形態によるシールドケースの上部シールド蓋の押圧面部の構造を示した斜視図である。
【図６】図１に示した一実施形態によるシールドケースの上部シールド蓋をシールド枠に取り付けた状態を示した断面図である。
【図７】特許文献１に開示された携帯用高周波装置（高周波受信装置）の構造を示した断面図である。
【図８】従来の一例によるシールドケースの構造を示した斜視図である。
【図９】図８に示した従来の一例によるシールドケースのシールド蓋をシールド枠に取り付けた状態を示した断面図である。
【符号の説明】
【００６３】
１  高周波受信装置
２ａ、２ｂ  電気部品
３  シールドケース
１０  シールド枠
１１  側面部（第１側面部）
１１ａ  凸部
２０  上部シールド蓋（シールド蓋）
２１  上面部（第１面部）
２１ｄ  突出部
２２、３２  側面部（第３側面部）
２２ａ、３２ａ  押圧面部（第２側面部）
２２ｂ、３２ｂ  切り欠き部
２２ｃ、３２ｃ  係合部
３０  下部シールド蓋（シールド蓋）
３１  下面部（第１面部）
Ｗ１、Ｗ２  幅
【図１】
2009111115.tif 000003
【図２】
2009111115.tif 000004
【図３】
2009111115.tif 000005
【図４】
2009111115.tif 000006
【図５】
2009111115.tif 000007
【図６】
2009111115.tif 000008
【図７】
2009111115.tif 000009
【図８】
2009111115.tif 000010
【図９】
2009111115.tif 000011